(57)【要約】【課題】追い刷り印刷を行う場合にあって、２回目以降の印刷のため、ユーザーは行うべき操作を知ることができる画像処理装置を提供する。【解決手段】画像処理装置の受付手段は、複数回同じ色を印刷する追刷印刷指示を受け付け、生成手段は、前記追刷印刷指示を受け付けた場合、印刷済みの媒体を給紙手段に設定し直すための説明用画像を生成し、表示手段は、少なくとも１回目の印刷が終了した後に、前記生成手段によって生成された説明用画像を表示する。【選択図】図１
2019198966.tif 000002
【特許請求の範囲】
【請求項１】
複数回同じ色を印刷する追刷印刷指示を受け付ける受付手段と、
前記追刷印刷指示を受け付けた場合、印刷済みの媒体を給紙手段に設定し直すための説明用画像を生成する生成手段と、
少なくとも１回目の印刷が終了した後に、前記生成手段によって生成された説明用画像を表示する表示手段
を有する画像処理装置。
【請求項２】
前記生成手段は、既に印刷された画像の縮小画像を説明用画像として生成する、
請求項１に記載の画像処理装置。
【請求項３】
前記生成手段は、前回印刷された媒体上の画像の縮小画像を説明用画像として生成する、
請求項２に記載の画像処理装置。
【請求項４】
前記生成手段は、前記媒体の色を反映した説明用画像を生成する、
請求項２に記載の画像処理装置。
【請求項５】
前記生成手段は、前記縮小画像に対して、前記給紙手段に前記媒体を設定する方向に合わせた回転を行う、
請求項２に記載の画像処理装置。
【請求項６】
前記生成手段は、前記給紙手段を示す画像と前記縮小画像を組み合わせた画像を説明用画像として生成する、
請求項２に記載の画像処理装置。
【請求項７】
前記生成手段は、前記縮小画像と前記給紙手段に設定する方向を組み合わせた画像を説明用画像として生成する、
請求項２に記載の画像処理装置。
【請求項８】
複数回同じ色を印刷する追刷印刷指示を受け付ける受付手段と、
前記追刷印刷指示を受け付けた場合、印刷済みの媒体を給紙手段に設定し直すための説明用画像を生成する生成手段と、
少なくとも１回目の印刷をする場合に、前記生成手段によって生成された説明用画像を印刷する印刷手段
を有する画像処理装置。
【請求項９】
前記印刷手段は、印刷面を下にして排出するように制御し、前記説明用画像を最初のページに印刷する、
請求項８に記載の画像処理装置。
【請求項１０】
前記印刷手段は、２回目以降の印刷をする場合は、前記説明用画像を印刷しない、
請求項８に記載の画像処理装置。
【請求項１１】
前記生成手段は、前記給紙手段に設定する方向を示す説明用画像を生成する、
請求項８に記載の画像処理装置。
【請求項１２】
前記印刷手段は、説明用画像を印刷する媒体は、追刷印刷をする媒体とは異なる媒体を用いる、
請求項８に記載の画像処理装置。
【請求項１３】
前記印刷手段は、前記説明用画像を印刷する媒体として、普通紙を用いる、
請求項１２に記載の画像処理装置。
【請求項１４】
前記印刷手段は、前記説明用画像を黒色で印刷する、
請求項１２に記載の画像処理装置。
【請求項１５】
コンピュータを、
複数回同じ色を印刷する追刷印刷指示を受け付ける受付手段と、
前記追刷印刷指示を受け付けた場合、印刷済みの媒体を給紙手段に設定し直すための説明用画像を生成する生成手段と、
少なくとも１回目の印刷が終了した後に、前記生成手段によって生成された説明用画像を表示する表示手段
として機能させるための画像処理プログラム。
【請求項１６】
印刷装置を制御するコンピュータを、
複数回同じ色を印刷する追刷印刷指示を受け付ける受付手段と、
前記追刷印刷指示を受け付けた場合、印刷済みの媒体を給紙手段に設定し直すための説明用画像を生成する生成手段と、
少なくとも１回目の印刷をする場合に、前記生成手段によって生成された説明用画像を印刷する印刷手段
として機能させるための画像処理プログラム。
【請求項１７】
複数回同じ色を印刷する追刷印刷指示を受け付ける受付ステップと、
前記追刷印刷指示を受け付けた場合、印刷済みの媒体を給紙手段に設定し直すための説明用画像を生成する生成ステップと、
少なくとも１回目の印刷が終了した後に、前記生成ステップによって生成された説明用画像を表示する表示ステップ
を有する画像処理方法。
【請求項１８】
複数回同じ色を印刷する追刷印刷指示を受け付ける受付ステップと、
前記追刷印刷指示を受け付けた場合、印刷済みの媒体を給紙手段に設定し直すための説明用画像を生成する生成ステップと、
少なくとも１回目の印刷をする場合に、前記生成ステップによって生成された説明用画像を印刷する印刷ステップ
を有する画像処理方法。
【発明の詳細な説明】
【技術分野】
【０００１】
本発明は、画像処理装置、画像処理プログラム及び画像処理方法に関する。
【背景技術】
【０００２】
特許文献１には、追い刷り印刷において発生する印刷ミスを防止して、追い刷り用紙上に正しい画像を形成することができる画像形成装置と印刷システムとを提供することを課題とし、追い刷り用紙上に画像を形成する画像形成部と、追い刷り用紙上の画像を読み取る読取部と、読取部の読取により得られた読取画像データを保存する記憶部と、読取画像データを送信する通信部とを有することが開示されている。
【先行技術文献】
【特許文献】
【０００３】
【特許文献１】特開２０１２−１０８８２７号公報
【発明の概要】
【発明が解決しようとする課題】
【０００４】
例えば、色付きの媒体に対して印刷を行う場合、その媒体の色が印刷画像に影響を及ぼすことになる。具体例として、黒色媒体に印刷した場合、印刷画像も全体に黒がかった色合いになってしまう。そこで、印刷画像の下地として白色等を印刷し、媒体の色の影響を軽減することが行われている。ただし、媒体の色の影響をより軽減するためには（例えば、媒体の色の影響をなくすためには）、その下地として印刷する白色等を複数回印刷する必要がある場合がある。この印刷を追い刷り印刷という。その場合、ユーザーは、印刷された媒体を給紙手段に設定し、複数回の印刷指示を行う必要がある。この追い刷り印刷を行う場合に、ユーザーは、次の操作が分からなくなってしまうことがある。例えば、印刷された媒体を給紙手段に設定し直すこと、媒体の方向を間違える等の誤りが発生することがある。
本発明は、追い刷り印刷を行う場合にあって、２回目以降の印刷のために、ユーザーは行うべき操作を知ることができる画像処理装置、画像処理プログラム及び画像処理方法を提供することを目的としている。
【課題を解決するための手段】
【０００５】
かかる目的を達成するための本発明の要旨とするところは、次の各項の発明に存する。
請求項１の発明は、複数回同じ色を印刷する追刷印刷指示を受け付ける受付手段と、前記追刷印刷指示を受け付けた場合、印刷済みの媒体を給紙手段に設定し直すための説明用画像を生成する生成手段と、少なくとも１回目の印刷が終了した後に、前記生成手段によって生成された説明用画像を表示する表示手段を有する画像処理装置である。
【０００６】
請求項２の発明は、前記生成手段は、既に印刷された画像の縮小画像を説明用画像として生成する、請求項１に記載の画像処理装置である。
【０００７】
請求項３の発明は、前記生成手段は、前回印刷された媒体上の画像の縮小画像を説明用画像として生成する、請求項２に記載の画像処理装置である。
【０００８】
請求項４の発明は、前記生成手段は、前記媒体の色を反映した説明用画像を生成する、請求項２に記載の画像処理装置である。
【０００９】
請求項５の発明は、前記生成手段は、前記縮小画像に対して、前記給紙手段に前記媒体を設定する方向に合わせた回転を行う、請求項２に記載の画像処理装置である。
【００１０】
請求項６の発明は、前記生成手段は、前記給紙手段を示す画像と前記縮小画像を組み合わせた画像を説明用画像として生成する、請求項２に記載の画像処理装置である。
【００１１】
請求項７の発明は、前記生成手段は、前記縮小画像と前記給紙手段に設定する方向を組み合わせた画像を説明用画像として生成する、請求項２に記載の画像処理装置である。
【００１２】
請求項８の発明は、複数回同じ色を印刷する追刷印刷指示を受け付ける受付手段と、前記追刷印刷指示を受け付けた場合、印刷済みの媒体を給紙手段に設定し直すための説明用画像を生成する生成手段と、少なくとも１回目の印刷をする場合に、前記生成手段によって生成された説明用画像を印刷する印刷手段を有する画像処理装置である。
【００１３】
請求項９の発明は、前記印刷手段は、印刷面を下にして排出するように制御し、前記説明用画像を最初のページに印刷する、請求項８に記載の画像処理装置である。
【００１４】
請求項１０の発明は、前記印刷手段は、２回目以降の印刷をする場合は、前記説明用画像を印刷しない、請求項８に記載の画像処理装置である。
【００１５】
請求項１１の発明は、前記生成手段は、前記給紙手段に設定する方向を示す説明用画像を生成する、請求項８に記載の画像処理装置である。
【００１６】
請求項１２の発明は、前記印刷手段は、説明用画像を印刷する媒体は、追刷印刷をする媒体とは異なる媒体を用いる、請求項８に記載の画像処理装置である。
【００１７】
請求項１３の発明は、前記印刷手段は、前記説明用画像を印刷する媒体として、普通紙を用いる、請求項１２に記載の画像処理装置である。
【００１８】
請求項１４の発明は、前記印刷手段は、前記説明用画像を黒色で印刷する、請求項１２に記載の画像処理装置である。
【００１９】
請求項１５の発明は、コンピュータを、複数回同じ色を印刷する追刷印刷指示を受け付ける受付手段と、前記追刷印刷指示を受け付けた場合、印刷済みの媒体を給紙手段に設定し直すための説明用画像を生成する生成手段と、少なくとも１回目の印刷が終了した後に、前記生成手段によって生成された説明用画像を表示する表示手段として機能させるための画像処理プログラムである。
【００２０】
請求項１６の発明は、印刷装置を制御するコンピュータを、複数回同じ色を印刷する追刷印刷指示を受け付ける受付手段と、前記追刷印刷指示を受け付けた場合、印刷済みの媒体を給紙手段に設定し直すための説明用画像を生成する生成手段と、少なくとも１回目の印刷をする場合に、前記生成手段によって生成された説明用画像を印刷する印刷手段として機能させるための画像処理プログラムである。
【００２１】
請求項１７の発明は、複数回同じ色を印刷する追刷印刷指示を受け付ける受付ステップと、前記追刷印刷指示を受け付けた場合、印刷済みの媒体を給紙手段に設定し直すための説明用画像を生成する生成ステップと、少なくとも１回目の印刷が終了した後に、前記生成ステップによって生成された説明用画像を表示する表示ステップを有する画像処理方法である。
【００２２】
請求項１８の発明は、複数回同じ色を印刷する追刷印刷指示を受け付ける受付ステップと、前記追刷印刷指示を受け付けた場合、印刷済みの媒体を給紙手段に設定し直すための説明用画像を生成する生成ステップと、少なくとも１回目の印刷をする場合に、前記生成ステップによって生成された説明用画像を印刷する印刷ステップを有する画像処理方法である。
【発明の効果】
【００２３】
請求項１の画像処理装置によれば、追い刷り印刷を行う場合にあって、２回目以降の印刷のため、ユーザーは行うべき操作を知ることができる。
【００２４】
請求項２の画像処理装置によれば、既に印刷された画像の縮小画像を説明用画像として用いることができる。
【００２５】
請求項３の画像処理装置によれば、前回印刷された媒体上の画像の縮小画像を説明用画像として用いることができる。
【００２６】
請求項４の画像処理装置によれば、媒体の色を反映した説明用画像を用いることができる。
【００２７】
請求項５の画像処理装置によれば、給紙手段に媒体を設定する方向に合わせた回転を行った縮小画像を用いることができる。
【００２８】
請求項６の画像処理装置によれば、給紙手段を示す画像と縮小画像を組み合わせた画像を説明用画像として用いることができる。
【００２９】
請求項７の画像処理装置によれば、縮小画像と給紙手段に設定する方向を組み合わせた画像を説明用画像として用いることができる。
【００３０】
請求項８の画像処理装置によれば、追い刷り印刷を行う場合にあって、２回目以降の印刷のため、ユーザーは行うべき操作を知ることができる。
【００３１】
請求項９の画像処理装置によれば、説明用画像を最初のページに印刷することができる。
【００３２】
請求項１０の画像処理装置によれば、２回目以降の印刷をする場合は、説明用画像の印刷を不要とすることができる。
【００３３】
請求項１１の画像処理装置によれば、給紙手段に設定する方向を示す説明用画像を用いることができる。
【００３４】
請求項１２の画像処理装置によれば、説明用画像を印刷する媒体として、追刷印刷をする媒体とは異なる媒体を用いることができる。
【００３５】
請求項１３の画像処理装置によれば、普通紙に説明用画像を印刷することができる。
【００３６】
請求項１４の画像処理装置によれば、説明用画像を黒色で印刷することができる。
【００３７】
請求項１５の画像処理プログラムによれば、追い刷り印刷を行う場合にあって、２回目以降の印刷のため、ユーザーは行うべき操作を知ることができる。
【００３８】
請求項１６の画像処理プログラムによれば、追い刷り印刷を行う場合にあって、２回目以降の印刷のため、ユーザーは行うべき操作を知ることができる。
【００３９】
請求項１７の画像処理方法によれば、追い刷り印刷を行う場合にあって、２回目以降の印刷のため、ユーザーは行うべき操作を知ることができる。
【００４０】
請求項１８の画像処理方法によれば、追い刷り印刷を行う場合にあって、２回目以降の印刷のため、ユーザーは行うべき操作を知ることができる。
【図面の簡単な説明】
【００４１】
【図１】第１の実施の形態の構成例についての概念的なモジュール構成図である。
【図２】本実施の形態を利用したシステム構成例を示す説明図である。
【図３】追刷印刷の例を示す説明図である。
【図４】追刷印刷の例を示す説明図である。
【図５】第１の実施の形態による処理例を示すフローチャートである。
【図６】画面の表示例を示す説明図である。
【図７】第１の実施の形態による処理例を示すフローチャートである。
【図８】第１の実施の形態による処理例を示す説明図である。
【図９】第２の実施の形態の構成例についての概念的なモジュール構成図である。
【図１０】第２の実施の形態による処理例を示すフローチャートである。
【図１１】第２の実施の形態による処理例を示す説明図である。
【図１２】第２の実施の形態による処理例を示す説明図である。
【図１３】第２の実施の形態による処理例を示す説明図である。
【図１４】給紙確認画面の表示例を示す説明図である。
【図１５】本実施の形態を実現するコンピュータのハードウェア構成例を示すブロック図である。
【発明を実施するための形態】
【００４２】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００４３】
本実施の形態である画像処理装置１００は、媒体に追刷印刷を行うものであって、図１の例に示すように、ＵＩ（Ｕｓｅｒ  Ｉｎｔｅｒｆａｃｅ）制御モジュール１０５、印刷ジョブ情報管理モジュール１２０、媒体属性管理モジュール１２５、生成モジュール１３０、印刷モジュール１３５を有している。
「追刷印刷」については、図３、図４の例を用いて詳述する。
なお、本実施の形態での「媒体（メディア、記録媒体、印刷媒体ともいわれる）」は、印刷される媒体であればよく、素材は問わない。例えば、媒体として、従前の記録紙（紙、用紙）に限られず、合成樹脂等の（透明）フィルムも含む。
また、「給紙手段」（シートフィーダー、給紙トレイ、用紙トレイ、給紙カセット、デッキといわれるものを含む）についても、もちろんのことながら、給紙手段に設定（一般的には、セットともいわれる行為を含む）できるものは媒体であって、記録紙に限るものではない（給紙手段という名称に「給紙」が含まれているからといって、紙に限定する意図はない）。
【００４４】
ＵＩ制御モジュール１０５は、受付モジュール１１０、表示モジュール１１５を有しており、生成モジュール１３０、印刷モジュール１３５と接続されている。ＵＩ制御モジュール１０５は、画像処理装置１００におけるユーザーインタフェースの制御を行う。
受付モジュール１１０は、複数回同じ色を印刷する追刷印刷指示を受け付ける。この追刷印刷指示は、ユーザーの操作による指示である。ユーザーの操作として、例えば、マウス、キーボード、タッチパネル、音声、視線、ジェスチャ等を用いたものがある。
【００４５】
表示モジュール１１５は、少なくとも１回目の印刷が終了した後に、生成モジュール１３０によって生成された説明用画像（確認ダイアログともいわれる）を表示する。なお、表示として、例えば、液晶ディスプレイ等の表示装置への表示の他に、３Ｄ（Ｄｉｍｅｎｓｉｏｎｓ）映像としての出力を含めてもよく、さらに、スピーカー等の音声出力装置による音声の出力、振動等を組み合わせてもよい。
ここで「少なくとも１回目の印刷が終了した後」とし、１回目の印刷が終了した後に説明用画像を表示しているので、ユーザーがそれを記憶していれば、２回目の印刷が終了した後は、必ずしも説明用画像を表示する必要はない。ただし、ユーザーがそれを記憶しているとは限らないので、毎回の印刷が終了した後（次回の印刷を開始する前）に説明用画像を表示することが好ましい。
【００４６】
印刷ジョブ情報管理モジュール１２０は、生成モジュール１３０、印刷モジュール１３５と接続されている。印刷ジョブ情報管理モジュール１２０は、印刷ジョブに関する情報を管理する。ここで「印刷ジョブに関する情報」として、例えば、印刷データ、印刷の属性等がある。印刷の属性として、少なくとも印刷の種類（一般印刷、追刷印刷の指定）を含み、媒体の種類、カラー／白黒印刷の指定、ページ数、両面／片面印刷の指定、追刷印刷の場合は追刷の回数等がある。
媒体属性管理モジュール１２５は、生成モジュール１３０と接続されている。媒体属性管理モジュール１２５は、印刷される媒体に関する情報を管理する。ここで「印刷される媒体に関する情報」として、例えば、給紙手段内にセットされている媒体の種類、色、用紙サイズ等を管理する。具体的には、各給紙手段に備え付けられたセンサー、又は、各給紙手段にセットされている媒体を撮影するカメラ等を用いて、媒体の種類、色、用紙サイズ等を検知してもよい。
印刷モジュール１３５は、ＵＩ制御モジュール１０５、印刷ジョブ情報管理モジュール１２０と接続されている。印刷モジュール１３５は、いわゆるプリンタとしての機能を有し、印刷処理を実行する。つまり、印刷ジョブにしたがって、媒体に印刷データを印刷する。
【００４７】
生成モジュール１３０は、ＵＩ制御モジュール１０５、印刷ジョブ情報管理モジュール１２０、媒体属性管理モジュール１２５と接続されている。生成モジュール１３０は、受付モジュール１１０が追刷印刷指示を受け付けた場合、印刷済みの媒体を給紙手段に設定し直すための説明用画像を生成する。ここで生成モジュール１３０が生成する説明用画像は、表示モジュール１１５が表示する画像である。
なお、「印刷済みの媒体を給紙手段に設定し直す」行為は、ユーザーが行う。ユーザーは、表示装置に表示された説明用画像を見て、その説明用画像に記載されている行為を行うことができるようになる。
また、生成モジュール１３０は、既に印刷された画像の縮小画像を説明用画像として生成するようにしてもよい。
ここで「既に印刷された画像」として、「１回目の印刷用の画像」であってもよいし、「前回の印刷用の画像」（直近の印刷用の画像）であってもよいし、「前回印刷された媒体上の画像（つまり、それまでに印刷された画像の重ね合わせ）」であってもよい。
また、生成モジュール１３０は、前回印刷された媒体上の画像の縮小画像を説明用画像として生成するようにしてもよい。
ここで「前回印刷された媒体上の画像」としたのは、追い刷りされた結果の画像であって、１回目以外は、複数回の印刷結果を反映した画像が生成されることになる。したがって、白色の追い刷りが行われた場合は、印刷回数が増えるにしたがってその白色が濃くなることになる。
【００４８】
また、生成モジュール１３０は、媒体の色を反映した説明用画像を生成するようにしてもよい。
ここでの説明用画像は、その時点で印刷された媒体を表していることになる。例えば、媒体の色が黒である場合は、背景が黒色の媒体の上に印刷された画像の縮小画像となる。
また、生成モジュール１３０は、縮小画像に対して、給紙手段に媒体を設定する方向に合わせた回転を行うようにしてもよい。
また、生成モジュール１３０は、給紙手段を示す画像と縮小画像を組み合わせた画像を説明用画像として生成するようにしてもよい。
【００４９】
また、生成モジュール１３０は、縮小画像と給紙手段に設定する方向を組み合わせた画像を説明用画像として生成するようにしてもよい。
ここで「設定する方向」として、例えば、「奥側」、「手前側」等を示す文言、記号等を付加してもよい。
【００５０】
図２は、本実施の形態を利用したシステム構成例を示す説明図である。
画像形成装置２００は、画像処理装置１００、タッチパネル２０５、給紙モジュール２１０、排紙モジュール２１５を有している。画像形成装置２００が、画像処理装置１００の機能を有している例を示すものである。画像形成装置２００は、プリンタ、複写機、ファックス、複合機（少なくともプリンタの機能を有して、スキャナ、複写機、ファックス等のいずれか１つ以上の機能を有している画像処理装置）等の機能を有する。
画像処理装置１００は、タッチパネル２０５、給紙モジュール２１０、排紙モジュール２１５と接続されている。
【００５１】
タッチパネル２０５は、画像処理装置１００と接続されている。タッチパネル２０５は、タッチパネル上でのユーザーの操作を受け付け、その受け付けた操作を画像処理装置１００の受付モジュール１１０に渡す。また、画像処理装置１００の表示モジュール１１５の制御にしたがって、タッチパネルに説明用画像の表示を行う。この説明用画像は、いわゆる媒体セットのガイドを行うことになる。
給紙モジュール２１０は、画像処理装置１００と接続されている。給紙モジュール２１０は、画像処理装置１００の印刷モジュール１３５による制御にしたがって、媒体を印刷モジュール１３５に供給する。２回目以降の追刷印刷の場合にあっては、ユーザーによって媒体（追刷印刷が１回以上行われた媒体）がセットされる。
排紙モジュール２１５は、画像処理装置１００と接続されている。排紙モジュール２１５は、画像処理装置１００の印刷モジュール１３５によって印刷が行われた媒体を排出する。２回目以降の追刷印刷の場合のために、ユーザーによって、排紙モジュール２１５によって排出された媒体（追刷印刷が１回以上行われた媒体）が、給紙モジュール２１０にセットされる。なお、このセットにあって、ユーザーは、タッチパネル２０５上に表示された説明用画像を参考にする。
なお、図２の例では、画像処理装置１００の印刷モジュール１３５、給紙モジュール２１０、排紙モジュール２１５を、それぞれ別個のモジュールとしたが、画像処理装置１００の印刷モジュール１３５が、給紙モジュール２１０、排紙モジュール２１５を含んでいてもよい。
【００５２】
図３は、追刷印刷の例を示す説明図である。
色付きの媒体（有色メディア、例えば、黒紙等）に対する印刷を行う場合に、下地に白色トナーを印刷し、その上にＣＭＹＫ（シアン、マゼンタ、イエロー、黒）トナーで印刷することにより、ＣＭＹＫ色に対してのメディアの色の影響を減少させて表現することができる。そのため、ＣＭＹＫ以外に白色のトナーやメタリック（例えば、銀色等）のトナー（特殊トナー、特色トナーともいわれる）を搭載し、１回のプリント動作で下地の白及びＣＭＹＫの印刷を行うプリンタが存在する。つまり、１回のプリント動作で５色分のトナーを用いた印刷が行われる。
図３の例を用いて説明する。
例えば、図３（ａ）に示すように、用紙３２５上に、黒トナー３１５、イエロートナー３１０、マゼンタトナー３０５、シアントナー３００を印刷した場合、用紙３２５が白色の場合に比べて、有色であると、印刷物として全体にその用紙３２５の色合いになってしまう。つまり、色付きの用紙３２５を用いた場合、黒トナー３１５、イエロートナー３１０、マゼンタトナー３０５、シアントナー３００で表現される印刷の色味が本来の色味とは異なったものになってしまう。
そこで、例えば、図３（ｂ）に示すように、用紙３２５に対して、まず白トナー３２０を印刷し、その上に黒トナー３１５、イエロートナー３１０、マゼンタトナー３０５、シアントナー３００を印刷することが行われている。なお、白トナー３２０は、黒トナー３１５、イエロートナー３１０、マゼンタトナー３０５、シアントナー３００が印刷される領域全てに印刷する。もちろんのことながら、黒トナー３１５、イエロートナー３１０、マゼンタトナー３０５、シアントナー３００が印刷されない領域には、白トナー３２０を印刷せず、用紙３２５が背景となる。つまり、白トナー３２０が印刷の下地になる。このように、白トナー３２０を下に印刷することにより、用紙３２５の色による印刷の色味への影響を軽減させることができる。
【００５３】
しかしながら、用紙３２５の色が濃い場合（例えば、黒色等）には、１回のプリント動作で印字した白トナー３２０の量では、完全に用紙３２５の色の影響を受けなくすることが難しいケースがあり、そのため白トナー３２０のみの印刷を複数回繰り返した後に黒トナー３１５、イエロートナー３１０、マゼンタトナー３０５、シアントナー３００を印刷する追刷印刷という運用がある。
例えば、図３（ｃ１）に示すように、１回目の印刷では、用紙３２５上に白トナー３２０ａだけの印刷を行う。次に、ユーザーは、印刷された用紙３２５（排紙モジュール２１５によって排出された用紙３２５）を給紙モジュール２１０に戻し、２回目の印刷を指示する。これによって、図３（ｃ２）の例に示すように、白トナー３２０ｂがさらに印刷され、結果的に用紙３２５上に白トナー３２０ａ、白トナー３２０ｂが印刷されることになる。そして、Ｎ回目の印刷において、図３（ｂ）の例に示した印刷と同様の印刷を行う。これによって、用紙３２５の色の影響を減少させて、有色の用紙３２５上でも本来の印刷の色味を表現することができるようになる。
【００５４】
なお、追刷印刷を行う回数は、予め定められた回数であってもよいし、ユーザーの操作によって指定された回数であってもよい。また、ユーザーの操作によって指定された隠蔽率から決定した回数であってもよい。例えば、隠蔽率と回数とを対応させたテーブルを予め用意しておき、そのテーブルを用いて、ユーザーの操作で指定された隠蔽率から対応する回数を抽出してもよい。また、印刷対象の用紙３２５の色に応じて回数を決定してもよい。例えば、媒体の色と回数とを対応させたテーブルを予め用意しておき、印刷対象である用紙３２５の色を媒体属性管理モジュール１２５から取り出し、そのテーブルを用いて、用紙３２５の色に対応する回数を抽出してもよい。
【００５５】
図４は、追刷印刷の例を示す説明図である。
印刷するデータは、図４（ｃ）の例に示すように出力データ（ＣＭＹＫ版）４２０とする。この出力データ（ＣＭＹＫ版）４２０の左側にはカラーの写真画像、右側の文字画像「Ａ」は赤、文字画像「Ｂ」は青、文字画像「Ｃ」は緑である。これを黒色の用紙４１０に印刷する。そのために、出力データ（ＣＭＹＫ版）４２０から追刷印刷用の出力データ（特殊トナー版）４０５を生成する。なお、ここで特殊トナーは白色トナーとし、図４（ａ）の例に示す出力データ（特殊トナー版）４０５上では、白色トナーの部分を黒色で示している。つまり、図４（ａ）の例に示す出力データ（特殊トナー版）４０５は、出力データ（ＣＭＹＫ版）４２０で印刷する領域（具体的には、左側の写真画像領域と右側の３文字「ＡＢＣ」の文字画像領域）を白とする印刷データである。なお、出力データ（ＣＭＹＫ版）４２０内には、出力データ（特殊トナー版）４０５が含まれていてもよい。つまり、Ｎ回目の追刷印刷において白色データの上にＣＭＹＫデータがあってもよい（１回の印刷で、白色トナー、ＣＭＹＫトナーの印刷が行われる）。
【００５６】
図４（ａ）の例に示すように、出力データ（特殊トナー版）４０５を用紙４１０ａに印刷すると、出力物４１５ａを得る。出力物４１５ａでは、１回目の白色トナーによる印刷であるので、左側の写真画像領域と右側の３文字「ＡＢＣ」の文字画像領域は黒色に近い灰色のように見える。
そして、ユーザーは、出力物４１５ａを給紙モジュール２１０にセットして、２回目の追刷印刷の指定を行う。その結果、図４（ｂ）の例に示すように、出力データ（特殊トナー版）４０５を用紙４１０ｂ（図４（ａ）の例に示す出力物４１５ａ）に印刷することになり、出力物４１５ｂを得る。出力物４１５ｂでは、同じ箇所に対しての２回目の白色トナーによる印刷であるので、左側の写真画像領域と右側の３文字「ＡＢＣ」の文字画像領域は、図４（ａ）の例に示す出力物４１５ａ内のものよりは白く見える。ただし、未だ灰色のように見えている。
この追刷印刷の処理を繰り返し、Ｎ回目（最後）の追刷印刷では、図４（ｃ）の例に示すように、出力データ（ＣＭＹＫ版）４２０を用紙４１０ｎ（Ｎ−１回の追刷り印刷が行われた出力物４１５）に印刷することになり、出力物４１５ｎを得る。なお、用紙４１０ｎでは、用紙４１０ａの黒色の影響がなくなる程度に、左側の写真画像領域、右側の文字画像の領域が特殊トナー（白色トナー）で重ね塗りされている。そして、出力物４１５ｎでは、左側の写真画像領域、右側の３文字「ＡＢＣ」の文字画像領域（文字画像「Ａ」は赤、文字画像「Ｂ」は青、文字画像「Ｃ」は緑）の部分が、白色の媒体上に印刷されたかのように再現されている。
【００５７】
ここで、追刷印刷の運用では、一度印刷した印刷物の１ページ目を上にして給紙モジュール２１０にセットしなおして、同じ方向で印字しなければならない。しかし、実際に印刷イメージが印刷される方向を想定して、ユーザーが用紙を正しくセットしなおすのは容易ではなく、オペレーションのミス（操作誤り）により版のずれやページ順、表裏の間違い等が発生しやすい。
本実施の形態は、このような状況において、ユーザーが用紙のセット位置を間違えることを防止し、正確に追い刷りの運用を行える手段を提供する。
【００５８】
図５は、第１の実施の形態による処理例を示すフローチャートである。
ステップＳ５０２では、受付モジュール１１０は、印刷指示を受け付ける。
ステップＳ５０４では、追い刷り印刷であるか否かを判断し、追い刷り印刷の場合はステップＳ５０６へ進み、それ以外（一般印刷）の場合はステップＳ５０８へ進む。
ステップＳ５０６では、印刷モジュール１３５は、追い刷り印刷処理を行う。ステップＳ５０６の詳細な処理については、図７の例に示すフローチャートを用いて後述する。
ステップＳ５０８では、印刷モジュール１３５は、一般の印刷処理を行う。ここでの一般の印刷処理とは、印刷された媒体（出力物）を給紙モジュール２１０にセットして、さらに印刷することがない印刷である。
【００５９】
図６は、画面６００の表示例を示す説明図である。
図５の例に示したフローチャートのステップＳ５０２で、表示モジュール１１５がタッチパネル２０５に、画面６００を表示する。画面６００には、一般印刷ボタン６１０、追刷印刷ボタン６２０、追刷回数受付領域６２５を表示する。そして、受付モジュール１１０は、タッチパネル２０５上での一般印刷ボタン６１０又は追刷印刷ボタン６２０のいずれかのユーザーの選択操作、追刷回数受付領域６２５内の回数入力を受け付ける。一般印刷ボタン６１０が選択された場合はステップＳ５０８に進み、追刷印刷ボタン６２０が選択された場合はステップＳ５０６に進む。
【００６０】
図７は、第１の実施の形態による処理例を示すフローチャートである。
ステップＳ７０２では、追い刷り回数（変数）に１をセットする。
ステップＳ７０４では、追い刷り２回目以降であるか否かを判断し、２回目以降の場合はステップＳ７１２へ進み、それ以外の場合（１回目の印刷の場合）はステップＳ７０６へ進む。
【００６１】
ステップＳ７０６では、その回数におけるプリント処理を実行する。
ステップＳ７０８では、次回の追い刷りを説明するための印刷画像を作成する。このステップＳ７０８における印刷画像として、今回のステップＳ７０６でプリント処理された結果の画像を用いてもよい。つまり、印刷された用紙の画像（１回目にあっては図４の例に示した出力物４１５ａが該当する）であってもよい。
また、２回目以降でのステップＳ７０８は行わなくてもよい。この場合、ステップＳ７１４で表示する画像は、１回目のステップＳ７０６で生成された画像を用いればよい。同じ画像が印刷されるので（つまり、色の濃さが異なるのみであるので）、用紙の方向は分かるからである。
ステップＳ７１０では、追い刷り回数に１を加える。
【００６２】
ステップＳ７１２では、前回の印刷画像（ステップＳ７０８で作成した画像）を取得する。
ステップＳ７１４では、給紙確認用の画像（説明用画像の一例）をタッチパネル２０５に表示する。ユーザーは、この給紙確認用の画像を見て、印刷物を給紙モジュール２１０にセットする。つまり、ユーザーは、印刷物の向き、表裏等を確認した上で、セットすることができるようになる。具体的には、図８の例を用いて後述する。
ステップＳ７１６では、応答を待つ。具体的には、ユーザーによるプリント開始ボタン８９０の押下（追刷印刷の指示操作）を待つことになる。
ステップＳ７１８では、プリント開始ボタン８９０の押下を検知したか否かを判断し、検知した場合はステップＳ７０６へ進み、それ以外の場合はステップＳ７２０へ進む。
【００６３】
ステップＳ７２０では、追い刷り回数は規定値に達したか否かを判断し、達した場合は処理を終了し（ステップＳ７９９）、それ以外の場合はステップＳ７０４へ戻る。ここでの規定値は、図６の例で示した画面６００の追刷回数受付領域６２５で入力された回数である。
【００６４】
図８は、第１の実施の形態による処理例を示す説明図である。図７の例に示したフローチャートのステップＳ７１４で表示する画像の例を示すものである。つまり、２回目以降の追刷印刷前に画像形成装置２００を一時停止状態にして、タッチパネル２０５に図８の例に示す給紙確認画面８００ａ又は給紙確認画面８００ｂを表示する。
【００６５】
図８（ａ）に示す例は、給紙手段を示す画像と印刷された媒体の縮小画像を組み合わせた画像を説明用画像としたものである。
給紙確認画面８００ａでは、給紙手段とその給紙手段に対して印刷済みの用紙をセットする方法を表示する。具体的には、給紙確認画面８００ａには、説明用画像８１０ａ、キャンセルボタン８８０ａ、プリント開始ボタン８９０ａを表示する。説明用画像８１０ａ内に、印刷済用紙画像８２０ａを表示する。印刷済用紙画像８２０ａは、ステップＳ７０８で作成された画像であって、媒体上に既に印刷された画像の縮小画像である。つまり、印刷済用紙画像８２０ａは、前回の追刷印刷の結果を、使用した媒体の色及びトナーの色を反映したイメージで表示する。複数回の追刷印刷により異なるイメージが印刷されている場合は、それらを合成したイメージで表現することが望ましい。なお、媒体の色が取得できない場合は、事前に印刷されたトナーの色が認識可能な任意の色を使用するか、又は、白色の紙に黒色トナーで印字したイメージを表示してもよい。また、印刷済用紙画像８２０ａに対して、給紙手段に媒体を設定する方向に合わせた回転を行っている。
このように表示することによって、ユーザーは、給紙手段にどのように用紙（既に印刷された用紙）をセットすべきかが分かるようになる。
そして、説明用画像８１０ａの説明として、例えば、「トレイ１（給紙手段）に用紙を以下の方向でセットしてください。」、「用紙のセットが完了したら、プリント開始ボタン８９０ａを押下してください。」と表示する。
キャンセルボタン８８０ａは、追刷印刷を中止する場合に選択される。プリント開始ボタン８９０ａは、追刷印刷を継続する場合に選択される。ユーザーはこの説明用画像８１０ａを確認し、給紙手段の所定の位置に媒体をセットしてプリント開始ボタン８９０ａを押下することにより、同じ媒体のセット位置で複数回の追刷印刷を行うことができるようになる。
【００６６】
図８（ｂ）に示す例は、給紙手段に媒体を設定する方向（セット方向（奥側）８２２ｂ、セット方向（手前側）８２４ｂ）と印刷された媒体の縮小画像（印刷済用紙画像８２０ｂ）を組み合わせた画像を説明用画像８１０ｂとしたものである。
給紙確認画面８００ｂには、説明用画像８１０ｂ、キャンセルボタン８８０ｂ、プリント開始ボタン８９０ｂを表示する。説明用画像８１０ｂ内に、印刷済用紙画像８２０ｂ、セット方向（奥側）８２２ｂ、セット方向（手前側）８２４ｂを表示する。
給紙確認画面８００ｂに、例えば、「トレイ１（給紙手段）に用紙を以下の方向でセットしてください。」、「用紙のセットが完了したら、プリント開始ボタン８９０ｂを押下してください。」と表示する。
給紙確認画面８００ｂは、図８（ａ）の例に示した給紙確認画面８００ａと同等の表示を行っている。ただし、説明用画像８１０ｂ内には、図８（ａ）と異なり、給紙手段を示す画像を表示していないが、給紙手段のセット方向（奥側）８２２ｂ、セット方向（手前側）８２４ｂを表示し、印刷済用紙画像８２０ｂもその方向に合わせた回転を行っている。
【００６７】
＜第２の実施の形態＞
図９は、第２の実施の形態の構成例についての概念的なモジュール構成図である。
画像処理装置９００は、ＵＩ制御モジュール９０５、ジョブ情報管理モジュール９２０、媒体属性管理モジュール９２５、生成モジュール９３０、印刷モジュール９３５を有している。
なお、第１の実施の形態と同種の部位には同一符号を付し重複した説明を省略する。
【００６８】
ＵＩ制御モジュール９０５は、受付モジュール１１０、表示モジュール９１５を有しており、生成モジュール９３０、印刷モジュール９３５と接続されている。
表示モジュール９１５は、給紙手段に媒体をセットしたことの確認のための表示を行う。例えば、後述する図１４の例に示す給紙確認画面１４００等を表示する。
ジョブ情報管理モジュール９２０は、生成モジュール９３０、印刷モジュール９３５と接続されている。ジョブ情報管理モジュール９２０は、生成モジュール９３０によって生成された印刷画像、又は白紙画像（ブランク画像、つまり紙送りをするためだけの空の印刷画像）を、対象としている印刷ジョブに挿入する。他に、図１の例に示した画像処理装置１００の印刷ジョブ情報管理モジュール１２０と同等の機能を有している。
媒体属性管理モジュール９２５は、生成モジュール９３０と接続されている。媒体属性管理モジュール９２５は、例えば、２つ以上の給紙手段内にセットされている媒体の種類、色、用紙サイズ等を管理する。１つの給紙手段は、有色の媒体がセットされたものであり、他の１つの給紙手段は、普通紙がセットされたものである。他に、図１の例に示した画像処理装置１００の媒体属性管理モジュール１２５と同等の機能を有している。
【００６９】
生成モジュール９３０は、ＵＩ制御モジュール９０５、ジョブ情報管理モジュール９２０、媒体属性管理モジュール９２５と接続されている。生成モジュール９３０は、受付モジュール１１０が追刷印刷指示を受け付けた場合、印刷済みの媒体を給紙手段に設定し直すための説明用画像を生成する。
また、生成モジュール９３０は、給紙手段に設定する方向を示す説明用画像を生成するようにしてもよい。
【００７０】
印刷モジュール９３５は、ＵＩ制御モジュール９０５、ジョブ情報管理モジュール９２０と接続されている。印刷モジュール９３５は、少なくとも１回目の印刷をする場合に、生成モジュール９３０によって生成された説明用画像を印刷する。その後は、図１の例に示した画像処理装置１００の印刷モジュール１３５と同等の印刷処理を行う。つまり、１回目の印刷をする場合に、生成モジュール９３０によって生成された説明用画像を印刷し、その後、第１の実施の形態と同等の追刷印刷を行う。そして、２回目以降の追刷印刷においては、１枚目の媒体に対しては、何も印刷せず（紙送りのみを行う）、その後、第１の実施の形態と同等の追刷印刷を行う。なお、２回目以降の追刷印刷においても、１枚目の媒体に対して、生成モジュール９３０によって生成された説明用画像を印刷してもよい。ただし、印刷データは同じ内容であり、トナーの使用を少なくするためにも、何も印刷しないのが好ましい。
また、印刷モジュール９３５は、印刷面を下にして排出するように制御し、説明用画像を最初のページに印刷するようにしてもよい。これによって、フェイスダウンで印刷する（印刷面を下にして排出する）ことによって、排出の順番そのままで給紙手段に印刷済み媒体を設定すればよいことになる。この場合、印刷モジュール９３５は排紙モジュール２１５（記録紙排出機構）を備えていてもよいし、排紙モジュール２１５を制御できるようにしてもよい。
【００７１】
また、前述したように、印刷モジュール９３５は、２回目以降の印刷をする場合は、説明用画像を印刷しないようにしてもよい。ここで「説明用画像を印刷しない」とは、例えば、白紙のイメージを印刷すること、単なる紙送りをすることを含む。
２回目以降の印刷をする場合は、既に説明用画像が印刷された媒体をそのまま用いることができるので、説明用画像を印刷する必要がないからである。ただし、２回目以降も説明用画像を印刷することを排除するものではない。同じ説明用画像が重ねて印刷されるだけである。また、説明用画像を毎回変更して、重ねて印刷してもよい。例えば、印刷回数（例えば、２回目、３回目等）を、位置をずらしながら毎回印刷するようにしてもよい。
【００７２】
また、印刷モジュール９３５は、説明用画像を印刷する媒体は、追刷印刷をする媒体とは異なる媒体を用いるようにしてもよい。「追刷印刷をする媒体」は、一般的には、高価な媒体であり、追い刷り印刷時にのみ用いられる「説明用画像を印刷する媒体」は、それとは異なる媒体で済むからである。
そして、印刷モジュール９３５は、説明用画像を印刷する媒体として、普通紙を用いるようにしてもよい。「普通紙」を用いるのは、一般的には、普通紙が最も安くすむからである。
なお、普通紙の大きさ（サイズ）は、追刷印刷の媒体と同じ大きさであることが望ましい。なお、普通紙の大きさと追刷印刷の媒体との大きさは完全同一である必要はなく、例えば、追刷印刷の媒体がＡ４サイズである場合に、説明用画像を印刷する媒体としてレター（Ｌｅｔｔｅｒ）サイズを使用することを排除するものではない。
また、印刷モジュール９３５は、説明用画像を黒色で印刷するようにしてもよい。「黒色で印刷」とは、いわゆる黒白印刷（モノクロ印刷）である。一般的には、黒色印刷が最も安くすむからである。
第１の実施の形態の説明で用いた図２〜６の説明は、第２の実施の形態においても同様である。
【００７３】
図１０は、第２の実施の形態による処理例を示すフローチャートである。
ステップＳ１００２では、追い刷り回数（変数）に１をセットする。
ステップＳ１００４では、追い刷り２回目以降であるか否かを判断し、２回目以降の場合はステップＳ１０１２へ進み、それ以外（一般印刷）の場合はステップＳ１００６へ進む。
【００７４】
ステップＳ１００６では、先頭に追い刷り方向確認用の画像（説明用画像の一例）を挿入する。追い刷り方向確認用の画像として、例えば、図１１に示す追い刷り方向確認用シート画像１１００を挿入する。図１１は、第２の実施の形態による処理例を示す説明図である。追い刷り方向確認用シート画像１１００には、給紙手段にセットする際の方向を示す説明用画像が含まれている。具体的には、「奥側」という文字とその方向を示す矢印、「手前側」という文字とその方向を示す矢印が記載されている。
なお、この追い刷り方向確認用シート画像１１００は印刷ジョブで対象としている媒体と同一のサイズであり、印刷データ及び給紙手段における用紙の方向から、給紙手段に媒体をセットした際に正立する方向でイメージを作成する。また、この追い刷り方向確認用シート画像１１００の印刷に使用されるトナーは、使用される媒体に対して認識可能な色を設定可能とする。
ユーザーは、２回目以降の追刷印刷の際に、図１２の例に示すように、この追い刷り方向確認用シート画像１１００が印刷された媒体（追い刷り方向確認用シート１２００）を先頭にして、追い刷り方向確認用シート１２００に印刷された方向にしたがって、給紙手段１２５０に追刷印刷用の媒体をセットする。なお、追い刷り方向確認用シート１２００は、普通紙であり、それに印刷されている「奥側」等の文字、記号は黒色（黒トナーを用いて印刷）である。
また、２回目以降の追刷印刷では、先頭ページに白紙のイメージを挿入し、１回目で作成した確認用シート（１回目で追い刷り方向確認用シート画像１１００が印刷された媒体）がそのまま出力されるようにする。
【００７５】
ステップＳ１００８では、その回数におけるプリント処理を実行する。
ステップＳ１０１０では、追い刷り回数に１を加える。
【００７６】
ステップＳ１０１２では、先頭にブランクシート用の画像を挿入する。つまり、先頭ページは、追い刷り方向確認用の画像が印刷された媒体であるので、紙送りのみを行えるように、ブランクシート用の画像を挿入している。
ステップＳ１０１４では、給紙確認用の画面を表示する。具体的には、図１４の例を用いて後述する。
ステップＳ１０１６では、応答を待つ。具体的には、ユーザーによるプリント開始ボタン１４９０の押下（追刷印刷の指示操作）を待つことになる。
ステップＳ１０１８では、プリント開始ボタン１４９０の押下を検知したか否かを判断し、検知した場合はステップＳ１００８へ進み、それ以外の場合はステップＳ１０２０へ進む。
【００７７】
ステップＳ１０２０では、追い刷り回数は規定値に達したか否かを判断し、達した場合は処理を終了し（ステップＳ１０９９）、それ以外の場合はステップＳ１００４へ戻る。
【００７８】
図１３は、第２の実施の形態による処理例を示す説明図である。追刷印刷の各回の印刷における印刷データの例を示している。この例では、本来の印刷ジョブ内には３ページの印刷データがあり、そのため説明用画像を含めて４ページ分の印刷データが必要であり、この印刷データ群が１つの印刷ジョブとなる。
図１３（ａ）の例に示す画像データ１３０５ａは、図１１の例に示した追い刷り方向確認用シート画像１１００と同じである。画像データ１３１０ａは、本来のプリントデータの１ページ目の画像であり、左側の矩形、右側の「ＡＢＣ」の文字は下地となる白色画像である。画像データ１３１５ａは、本来のプリントデータの２ページ目の画像であり、左側の矩形、右側の「ＤＥＦ」の文字は下地となる白色画像である。画像データ１３２０ａは、本来のプリントデータの３ページ目の画像であり、左側の矩形、右側の「ＧＨＩ」の文字は下地となる白色画像である。
【００７９】
図１３（ｂ）の例に示す画像データ１３０５ｂは、ブランクシート用の画像（何も印刷すべきデータがない画像、いわゆる白紙データ）である。画像データ１３１０ｂは、本来のプリントデータの１ページ目の画像（画像データ１３１０ａと同じ画像）であり、左側の矩形、右側の「ＡＢＣ」の文字は下地となる白色画像である。画像データ１３１５ｂは、本来のプリントデータの２ページ目の画像（画像データ１３１５ａと同じ画像）であり、左側の矩形、右側の「ＤＥＦ」の文字は下地となる白色画像である。画像データ１３２０ｂは、本来のプリントデータの３ページ目の画像（画像データ１３２０ａと同じ画像）であり、左側の矩形、右側の「ＧＨＩ」の文字は下地となる白色画像である。
なお、３回目以降も白色トナーを用いた印刷を行う場合は、図１３（ｂ）の例に示す印刷データ群を用いればよい。
【００８０】
図１３（ｃ）の例に示す印刷データ群は、追刷印刷における最後の印刷に用いるものである。画像データ１３０５ｃは、ブランクシート用の画像（何も印刷すべきデータがない画像、いわゆる白紙データ）である。画像データ１３１０ｃは、本来のプリントデータの１ページ目の画像であり、左側の矩形、右側の「ＡＢＣ」の文字は下地の上に印刷されるＣＭＹＫで表現される画像である。画像データ１３１５ｃは、本来のプリントデータの２ページ目の画像であり、左側の矩形、右側の「ＤＥＦ」の文字は下地の上に印刷されるＣＭＹＫで表現される画像である。画像データ１３２０ｃは、本来のプリントデータの３ページ目の画像であり、左側の矩形、右側の「ＧＨＩ」の文字は下地の上に印刷されるＣＭＹＫで表現される画像である。
【００８１】
図１４は、給紙確認画面１４００の表示例を示す説明図である。第１の実施の形態と同様に、２回目以降の追刷印刷の前に画像形成装置２００を一時停止状態にして、タッチパネル２０５に図１４の例に示す給紙確認画面１４００を表示する。これによって、ユーザーに対して、給紙をガイドし、追刷印刷における印刷を促す。
給紙確認画面１４００は、図１０の例に示したフローチャート内のステップＳ１０１４で表示する給紙確認用の画面の例である。
給紙確認画面１４００には、例えば、「トレイ１（給紙手段）に、確認用のシートを上にして、印刷済みの用紙をセットしてください。」、「用紙のセットが完了したら、プリント開始ボタン１４９０を押下してください。」と表示し、また、キャンセルボタン１４８０、プリント開始ボタン１４９０を表示する。キャンセルボタン１４８０は、追刷印刷を中止する場合に選択される。プリント開始ボタン１４９０は、追刷印刷を継続する場合に選択される。
【００８２】
図１５を参照して、本実施の形態の画像処理装置１００、画像処理装置９００のハードウェア構成例について説明する。図１５に示す構成は、例えばパーソナルコンピュータ（ＰＣ）等によって構成されるものであり、スキャナ等のデータ読み取り部１５１７と、プリンタ等のデータ出力部１５１８を備えたハードウェア構成例を示している。
【００８３】
ＣＰＵ（Ｃｅｎｔｒａｌ  Ｐｒｏｃｅｓｓｉｎｇ  Ｕｎｉｔ）１５０１は、前述の実施の形態において説明した各種のモジュール、すなわち、ＵＩ制御モジュール１０５、印刷ジョブ情報管理モジュール１２０、媒体属性管理モジュール１２５、生成モジュール１３０、印刷モジュール１３５、ＵＩ制御モジュール９０５、表示モジュール９１５、ジョブ情報管理モジュール９２０、媒体属性管理モジュール９２５、生成モジュール９３０、印刷モジュール９３５等の各モジュールの実行シーケンスを記述したコンピュータ・プログラムにしたがった処理を実行する制御部である。
【００８４】
ＲＯＭ（Ｒｅａｄ  Ｏｎｌｙ  Ｍｅｍｏｒｙ）１５０２は、ＣＰＵ１５０１が使用するプログラムや演算パラメータ等を格納する。ＲＡＭ（Ｒａｎｄｏｍ  Ａｃｃｅｓｓ  Ｍｅｍｏｒｙ）１５０３は、ＣＰＵ１５０１の実行において使用するプログラムや、その実行において適宜変化するパラメータ等を格納する。これらはＣＰＵバス等から構成されるホストバス１５０４により相互に接続されている。
【００８５】
ホストバス１５０４は、ブリッジ１５０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１５０６に接続されている。
【００８６】
キーボード１５０８、マウス等のポインティングデバイス１５０９は、操作者により操作されるデバイスである。ディスプレイ１５１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１５０９とディスプレイ１５１０の両方の機能を備えているタッチスクリーン等であってもよい。その場合、キーボードの機能の実現について、キーボード１５０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００８７】
ＨＤＤ（Ｈａｒｄ  Ｄｉｓｋ  Ｄｒｉｖｅ）１５１１は、ハードディスク（フラッシュ・メモリ等であってもよい）を内蔵し、ハードディスクを駆動し、ＣＰＵ１５０１によって実行するプログラムや情報を記録又は再生させる。ハードディスクには、印刷データ、印刷ジョブ、媒体の属性、追刷印刷に関する説明用画像等が格納される。さらに、その他の各種データ、各種コンピュータ・プログラム等が格納される。
【００８８】
ドライブ１５１２は、装着されている磁気ディスク、光ディスク、光磁気ディスク、又は半導体メモリ等のリムーバブル記録媒体１５１３に記録されているデータ又はプログラムを読み出して、そのデータ又はプログラムを、インタフェース１５０７、外部バス１５０６、ブリッジ１５０５、及びホストバス１５０４を介して接続されているＲＡＭ１５０３に供給する。なお、リムーバブル記録媒体１５１３も、データ記録領域として利用可能である。
【００８９】
接続ポート１５１４は、外部接続機器１５１５を接続するポートであり、ＵＳＢ、ＩＥＥＥ１３９４等の接続部を持つ。接続ポート１５１４は、インタフェース１５０７、及び外部バス１５０６、ブリッジ１５０５、ホストバス１５０４等を介してＣＰＵ１５０１等に接続されている。通信部１５１６は、通信回線に接続され、外部とのデータ通信処理を実行する。データ読み取り部１５１７は、例えばスキャナであり、ドキュメントの読み取り処理を実行する。データ出力部１５１８は、例えばプリンタであり、ドキュメントデータの出力処理を実行する。
【００９０】
なお、図１５に示す画像処理装置１００、画像処理装置９００のハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１５に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機などに組み込まれていてもよい。
【００９１】
なお、第１の実施の形態と第２の実施の形態を組み合わせてもよい。つまり、説明用画像を印刷し、タッチパネル２０５に印刷済み媒体の縮小画像を給紙手段の設定に合わせた方向で表示するようにしてもよい。ただし、タッチパネル２０５に表示する縮小画像は、説明用画像の縮小画像になる。給紙手段にセットする１ページ目（一番上のページ）は、説明用画像が印刷された媒体であるからである。
また、第１の実施の形態と第２の実施の形態を切り替えられるようにしてもよい。具体的には、印刷データで方向を確認できる場合は第１の実施の形態を用い、印刷データで方向を確認できない場合は第２の実施の形態を用いるようにしてもよい。「印刷データで方向を確認できない場合」として、例えば、媒体の中央に正方形、円等を描画するような印刷データである場合が該当し、それがタッチパネル２０５に表示されたとしてもセットの向きを確認することができないためである。また、印刷データとして文字が記載されているが、その文字が小さい場合も「印刷データで方向を確認できない場合」に該当し、タッチパネル２０５に表示されたとしてもセットの向きを確認することができないからである。また、タッチパネル２０５の大きさ又は解像度を検知し、その大きさ又は解像度が予め定められた値よりも大きい又は以上である場合は第１の実施の形態を用い、それ以外の場合は第２の実施の形態を用いるようにしてもよい。
【００９２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００９３】
１００…画像処理装置
１０５…ＵＩ制御モジュール
１１０…受付モジュール
１１５…表示モジュール
１２０…印刷ジョブ情報管理モジュール
１２５…媒体属性管理モジュール
１３０…生成モジュール
１３５…印刷モジュール
２００…画像形成装置
２０５…タッチパネル
２１０…給紙モジュール
２１５…排紙モジュール
９００…画像処理装置
９０５…ＵＩ制御モジュール
９１５…表示モジュール
９２０…ジョブ情報管理モジュール
９２５…媒体属性管理モジュール
９３０…生成モジュール
９３５…印刷モジュール
【図１】
2019198966.tif 000003
【図２】
2019198966.tif 000004
【図３】
2019198966.tif 000005
【図４】
2019198966.tif 000006
【図５】
2019198966.tif 000007
【図６】
2019198966.tif 000008
【図７】
2019198966.tif 000009
【図８】
2019198966.tif 000010
【図９】
2019198966.tif 000011
【図１０】
2019198966.tif 000012
【図１１】
2019198966.tif 000013
【図１２】
2019198966.tif 000014
【図１３】
2019198966.tif 000015
【図１４】
2019198966.tif 000016
【図１５】
2019198966.tif 000017